(57)【要約】【課題】プランジャがバレルから脱落することを抑制することができると共に、使用時に、ガスケットに歪みが生じることを抑制することができるシリンジを提供する。【解決手段】シリンジは、一端に開口部が形成された中空状のバレル２と、バレル２の一方の端部に形成され、外方に向けて張り出すように形成されたフランジ部５と、第１端部および第２端部を含み、第１端部から第２端部に向けて延びるように溝部が形成され、バレル２内に挿入されたプランジャと、プランジャの第１端部に設けられたガスケット４と、フランジ部５に着脱可能に装着され、プランジャがバレル２から脱落することを抑制するストッパ部と備え、ストッパ部は、溝部に入り込む突出部４６を含む。【選択図】図１
2014128383.tif 000002
【特許請求の範囲】
【請求項１】
一端に開口部が形成された中空状のバレルと、
前記バレルの一方の端部に形成され、外方に向けて張り出すように形成されたフランジ部と、
第１端部および第２端部を含み、第１端部から第２端部に向けて延びるように溝部が形成され、前記バレル内に挿入されたプランジャと、
前記プランジャの前記第１端部に設けられたガスケットと、
前記フランジ部に着脱可能に装着され、前記プランジャが前記バレルから脱落することを抑制するストッパ部と、
備え、
前記ストッパ部は、前記溝部に入り込む突出部を含む、シリンジ。
【請求項２】
前記溝部は、前記プランジャを貫通するように形成され、前記突出部は前記溝部を貫通するように前記溝部に挿入された、請求項１に記載のシリンジ。
【請求項３】
前記ストッパ部は、前記フランジ部を挟み込むように設けられた第１プレートおよび第２プレートとを含み、前記突出部は、前記第１プレートから前記溝部に向けて突出する突起部とを含む、請求項１または請求項２に記載のシリンジ。
【請求項４】
前記ストッパ部が前記フランジ部に装着された状態において、前記第１プレートが前記プランジャと接触しないように、前記第１プレートの周面には前記プランジャの周面に沿って湾曲する湾曲部が形成され、
前記ストッパ部を前記フランジ部に装着するときには、前記ストッパ部を前記フランジ部に対して装着方向に向けてはめ込み、
前記突起部は、前記湾曲部の縁部に設けられると共に、前記装着方向に突出する、請求項３に記載のシリンジ。
【発明の詳細な説明】
【技術分野】
【０００１】
本発明は、シリンジに関する。
【背景技術】
【０００２】
シリンジのプランジャがバレルから外れることを抑制するために、ストッパがバレルのフランジ部に装着されたシリンジが従来から提案されている。
【０００３】
たとえば、特開平８−２９４５３３号公報に記載された注射器は、注射バレルと、注射バレルに挿入されたプランジャと、プランジャの先端部に設けられたガスケットと、注射バレルの端部に形成された注射器フランジに取り付けられた安全装置とを含む。安全装置は、間隔をあけて設けられた上プレートと、下プレートとを含む。
【０００４】
上プレートは、フランジの上面側に配置され、下プレートはフランジの下面側に配置される。上プレートには、穴部と、上プレートの縁部から延び、穴部と連通する導入開口部とが形成されている。上プレートの穴部には、押縁が設けられており、押縁によってガスケットが引っ掛かり、ガスケットおよびプランジャが注射バレルから脱落することを抑制している。
【先行技術文献】
【特許文献】
【０００５】
【特許文献１】特開平８−２９４５３３号公報
【発明の概要】
【発明が解決しようとする課題】
【０００６】
しかし、特開平８−２９４５３３号公報に記載された注射器においては、使用者がプランジャの端部を押圧した際に、指の押圧方向がプランジャの軸方向と交差する方向であると、プランジャの先端部に設けられたガスケットに歪みが生じる。
【０００７】
本発明は、上記のような課題に鑑みてなされたものであって、その目的は、プランジャがバレルから脱落することを抑制することができると共に、使用時に、ガスケットに歪みが生じることを抑制することができるシリンジを提供することである。
【課題を解決するための手段】
【０００８】
本発明に係るシリンジは、一端に開口部が形成された中空状のバレルと、バレルの一方の端部に形成され、外方に向けて張り出すように形成されたフランジ部と、第１端部および第２端部を含み、第１端部から第２端部に向けて延びるように溝部が形成され、バレル内に挿入されたプランジャと、プランジャの第１端部に設けられたガスケットと、フランジ部に着脱可能に装着され、プランジャがバレルから脱落することを抑制するストッパ部と備える。上記ストッパ部は、溝部に入り込む突出部を含む。
【０００９】
好ましくは、上記溝部は、プランジャを貫通するように形成され、突出部は溝部を貫通するように溝部に挿入される。好ましくは、上記ストッパ部は、フランジ部を挟み込むように設けられた第１プレートおよび第２プレートとを含み、突出部は、第１プレートから溝部に向けて突出する突起部とを含む。好ましくは、上記ストッパ部がフランジ部に装着された状態において、第１プレートがプランジャと接触しないように、第１プレートの周面にはプランジャの周面に沿って湾曲する湾曲部が形成される。上記ストッパ部をフランジ部に装着するときには、ストッパ部をフランジ部に対して装着方向に向けてはめ込む。上記突起部は、湾曲部の縁部に設けられると共に、装着方向に突出する。
【発明の効果】
【００１０】
本発明に係るシリンジによれば、プランジャがバレルから脱落することを抑制することができると共に、使用時にガスケットに歪みが生じることを抑制することができる。
【図面の簡単な説明】
【００１１】
【図１】シリンジ１を示す斜視図である。
【図２】シリンジ１の分解斜視図である。
【図３】プランジャ３の一部を示す断面斜視図である。
【図４】ストッパ部６を示す斜視図である。
【図５】ストッパ部６を示す斜視図である。
【図６】ストッパ部６を上方から見たときの平面図である。
【図７】ストッパ部６の下方から見た下面図である。
【図８】シリンジ１の使用状態を示す斜視図である。
【図９】シリンジ１を示す斜視図である。
【発明を実施するための形態】
【００１２】
図１から図９を用いて、本実施の形態に係るシリンジについて説明する。
図１は、シリンジ１を示す斜視図である。この図１に示すように、本実施の形態に係るシリンジ１は、開口部が形成された中空状のバレル２と、バレル２に挿入されたプランジャ３と、バレル２内に設けられ、プランジャ３の先端部に設けられたガスケット４と、バレル２の開口部側の端部に形成されたフランジ部５に装着されたストッパ部６とを備える。
【００１３】
図２は、シリンジ１の分解斜視図である。この図２に示すように、バレル２は、一方の端部に開口部１０が形成され、他方の端部に先端部１１が形成されている。開口部１０は、バレル２の周面から外方に張り出すように形成されている。先端部１１には、図示されないカヌラ（注射針）などが装着される。
【００１４】
プランジャ３は、軸本体部１５と、軸本体部１５の先端部に形成された係止部１６と、軸本体部１５の後端部に形成されたフランジ１７とを含む。
【００１５】
係止部１６は、軸本体部１５の先端部に形成された基部１８と、基部１８から突出するように形成されたネジ部１９を含む。
【００１６】
ネジ部１９は、ガスケット４と係合して、ガスケット４をプランジャ３の先端部に固定する。フランジ１７は、軸本体部１５の後端部が外方に張り出すように形成されている。
【００１７】
軸本体部１５は、片部２０と、片部２０と間隔をあけて配置された片部２１と、連結部３１と、連結部３２とを含む。
【００１８】
片部２０および片部２１は、フランジ１７と基部１８とに接続されている。連結部３１は、基部１８の近傍で片部２０と片部２１と接続し、連結部３２は、フランジ１７の近傍で片部２０と片部２１とを接続するように形成されている。
【００１９】
このため、片部２０と片部２１と連結部３１と連結部３２とによって、スリット３３（溝部）が形成されている。スリット３３は、連結部３１と連結部３２との間にわたって延びており、軸本体部１５を貫通するように形成されている。このように、スリット３３は、プランジャ３の一端側から他端側に亘って延びるように形成されている。本実施の形態においては、溝部を軸本体部１５を貫通するスリット３３で構成したが、溝部をプランジャ３の一端側から他端側に延びる有底のくぼみで構成しても良い。
【００２０】
図３は、プランジャ３の一部を示す断面斜視図である。この図３に示すように、片部２０は、板状の基板２２と、基板２２の主表面上に形成された補強リブ２３、２４，２５とを含む。補強リブ２３，２４，２５は、基板２２の主表面のうち、片部２１と対向する主表面と反対側の主表面に形成されている。補強リブ２３と、補強リブ２４と、補強リブ２５とは、互いに間隔をあけて形成されている。なお、補強リブ２４は、補強リブ２３と補強リブ２５との間に配置されており、補強リブ２４の高さは、補強リブ２３および補強リブ２５の高さよりも高い。
【００２１】
片部２１は、板状に形成された基板２６と、基板２６の主表面に形成された補強リブ２７，２８，２９とを含む。補強リブ２７，２８，２９は、基板２６の主表面のうち、片部２０と対向する主表面と反対側に位置する主表面に形成されている。補強リブ２７，２８，２９は、互いに間隔をあけて配置されており、補強リブ２８は、補強リブ２７と補強リブ２９の間に配置されており、補強リブ２８の高さは、補強リブ２７および補強リブ２９の高さよりも高い。そして、基板２２と基板２６との間にスリット３３が形成されている。
【００２２】
図４および図５は、ストッパ部６を示す斜視図である。図４および図５に示すように、ストッパ部６は、プレート４０と、プレート４０と間隔あけて配置されたプレート４１と、外壁部４２，４３と、内壁部４４，４５と、プレート４０の主表面上に形成され突出部４６とを含む。
【００２３】
外壁部４２は、プレート４０の一方の側辺部とプレート４１の一方の側辺部とを接続するように形成されている。外壁部４３は、他方の側辺部とプレート４１の他方の側辺部とを接続するように形成されている。
【００２４】
内壁部４４は、外壁部４２と隣り合うように配置されると共に、プレート４０の下面とプレート４１の上面とを接続するように形成されている。内壁部４５は、外壁部４３と隣り合うように配置されると共に、プレート４０の下面とプレート４１の上面とを接続するように形成されている。
【００２５】
そして、プレート４０とプレート４１と内壁部４４と内壁部４５とによって、図２に示すフランジ部５が挿入される挿入空間４９が形成されている。
【００２６】
なお、図４および図５に示すように、ストッパ部６には、挿入空間４９に連通する開口部５０および開口部５１が形成されている。ストッパ部６にフランジ部５を挿入する際には開口部５０からフランジ部５が挿入空間４９内に入り込み、フランジ部５が挿入空間４９内に入り込むと、フランジ部５の一部が開口部５１から外部に露出する。なお、開口部５１は必ずしも形成する必要はなく、開口部５１からフランジ部の一部を外部に露出させなくても良い。
【００２７】
図６は、ストッパ部６を上方から見たときの平面図である。この図６において、「ＤＲ１」は、ストッパ部６をフランジ部５に装着する時におけるストッパ部６の装着方向である。
【００２８】
プレート４０には、穴部５５が形成されている。穴部５５の縁部はストッパ部６がフランジ部５に装着されたときに、プレート４０がプランジャ３と接触しないように湾曲している。穴部５５は、プレート４０の外周縁部のうち、装着方向ＤＲ１側に位置する縁部から延びる挿入穴５６と、この挿入穴５６に接続された円弧穴５７とを含む。挿入穴５６の幅は、装着方向ＤＲ１に向かうにつれて大きくなるように形成されている。円弧穴５７の内周面縁部は、円弧状に形成されている。
【００２９】
図７は、ストッパ部６の下方から見た下面図である。プレート４１には、穴部５８が形成されており、穴部５８は、挿入穴５９と、挿入穴５９に接続された円弧穴６０とを含む。
【００３０】
挿入穴５９の幅は、円弧穴６０から装着方向ＤＲ１に向かうにつれて、大きくなるように形成されている。円弧穴６０の内周面縁部は、円弧状に形成されている。
【００３１】
図４において、突出部４６は、円弧穴５７の縁部から装着方向ＤＲ１に向けて突出するように形成されている。突出部４６は、プレート４０の上面から上方に突出するように形成された柱部４７と、柱部４７の上端部から装着方向ＤＲ１に突出する突起部４８とを含む。
【００３２】
なお、図４および図６に示すように、柱部４７は、板部６２と、板部６２に形成されたリブ６１とを含む。板部６２の幅は、プレート４０の上面から離れると共に、小さくなるように形成されている。
【００３３】
上記のように構成されたシリンジ１において、ストッパ部６をバレル２のフランジ部５に装着するときについて説明する。図２において、バレル２内にプランジャ３を挿入する。次に、ストッパ部６をプランジャ３およびフランジ部５に装着する。
【００３４】
この際、スリット３３に突起部４８を挿入すると共に、開口部５０からフランジ部５を挿入空間４９内に挿入する。
【００３５】
このように、ストッパ部６をフランジ部５に装着することで、図１に示すように、シリンジ１が組みあがる。
【００３６】
このように構成されたシリンジ１を用いて、バレル２内に充填された薬剤を患部などに供給する場合には、先端部１１にカヌラなどを装着する。そして、図８に示すように、使用者は、たとえば、人差し指７０および中指７１をストッパ部６にひっかけると共に、フランジ１７を親指７２で押圧する。
【００３７】
なお、バレル２がガラスで形成されている場合には、フランジ部５を大きく張り出させることは困難である一方で、このフランジ部５にストッパ部６を装着することで、使用者は、容易に指をストッパ部６に引っかけることができる。
【００３８】
そして、使用者がフランジ１７を押すことで、プランジャ３が順次バレル２内に入り込み、ガスケット４がバレル２内を移動する。これにより、バレル２内の薬剤が患部に投与される。
【００３９】
この際、突出部４６の突起部４８がスリット３３内に入り込んでいるため、プランジャ３は良好にバレル２内に入り込み、プランジャ３が揺動することが抑制される。
【００４０】
このように、プランジャ３が揺動することを抑制することができるため、ガスケット４が歪むことを抑制することができ、液漏れの発生を誘引することがない。
【００４１】
さらに、図９に示すように、プランジャ３が引抜方向ＤＲ２に引っ張られたとしても、連結部３１が突起部４８に引っ掛かるため、プランジャ３がバレル２から脱落することを抑制することができる。
【００４２】
突出部４６の柱部４７は、図５に示すように、板部６２およびリブ６１を含み、柱部４７とプレート４０の上面との付根部にモーメントが加えられたとしても、突出部４６が曲がることを抑制することができる。
【００４３】
なお、本実施の形態においては、突出部４６は、柱部４７を備えており、プレート４０の上面よりも上方に突起部４８が設けられているが、柱部４７は必ずしも必須の構成ではない。すなわち、プレート４０の円弧穴５７の開口部縁から突起部４８が突出するように形成してもよい。
【００４４】
図２において、プランジャ３は、片部２０と片部２１とを連結する複数の連結部３１，３２を含み、プランジャ３の剛性が確保されており、使用者がフランジ１７を押圧した際に、プランジャ３が変形することが抑制されている。
【００４５】
特に、図３に示すように、片部２０，２１は、いずれも複数の補強リブを備えており、片部２０，２１の剛性は高く、使用者がフランジ１７を押圧したとしても、プランジャ３が変形することが抑制されている。また、当該複数の補強リブにより、プランジャ３の断面における片部および補強リブの頂点を結んだ線が円に近似する形状となっている。これにより、プランジャ３がバレル２の中心軸に対して傾くことを抑制している。
【００４６】
以上のように本発明の実施の形態について説明を行なったが、今回開示された実施の形態はすべての点で例示であって制限的なものではないと考えられるべきである。本発明の
範囲は特許請求の範囲によって示され、特許請求の範囲と均等の意味および範囲内でのすべての変更が含まれることが意図される。さらに、上記数値などは、例示であり、上記数値および範囲にかぎられない。
【符号の説明】
【００４７】
１  シリンジ、２  バレル、３  プランジャ、４  ガスケット、５  フランジ部、６  ストッパ部、１０  開口部、１１  先端部、１５  軸本体部、１６  係止部、１７  フランジ、１８  基部、１９  ネジ部、２０，２１  片部、２２，２６  基板、３１，３２  連結部、３３  スリット、４０，４１  プレート、４２，４３  外壁部、４４，４５  内壁部、４６  突出部、４７  柱部、４８  突起部、４９  挿入空間、５０，５１  開口部、５５，５８  穴部、５６，５９  挿入穴、５７，６０  円弧穴、６１  リブ、６２  板部、７０  人差し指、７１  中指、７２  親指、ＤＲ１  装着方向、ＤＲ２  引抜方向。
【図１】
2014128383.tif 000003
【図２】
2014128383.tif 000004
【図３】
2014128383.tif 000005
【図４】
2014128383.tif 000006
【図５】
2014128383.tif 000007
【図６】
2014128383.tif 000008
【図７】
2014128383.tif 000009
【図８】
2014128383.tif 000010
【図９】
2014128383.tif 000011